(57)【要約】   映像ミキサーは、ビデオプロセッサとスイッチングマトリクスを有している。スイッチングマトリクスは、ビデオプロセッサのための信号を選択する第１のマトリクス部を有し、かつビデオプロセッサ以外の、および映像ミキサーを越えた出力先のための、出力信号を選ぶ第２のマトリクス部を有する。
2010531620.tif 000002
【特許請求の範囲】
【請求項１】
映像ミキサーであって、
ビデオプロセッサと；
前記ビデオプロセッサのための信号を選択する第１のマトリクス部、並びに前記ビデオプロセッサおよび当該映像ミキサー以外の出力先のための信号を選択する第２のマトリクス部を含むスイッチングマトリクスと；
を有する映像ミキサー。
【請求項２】
前記第１のマトリクス部は、当該映像ミキサーのスイッチングプロトコルに従ってコントロールされる、請求項１記載の映像ミキサー。
【請求項３】
前記第２のマトリクス部は、当該映像ミキサーのスイッチングプロトコルとは別のスイッチングプロトコルに従ってコントロールされる、請求項１記載の映像ミキサー。
【請求項４】
前記第２のマトリクス部は、少なくとも１つのクロスポイントを有する、請求項１記載の映像ミキサー。
【請求項５】
第２のマトリクス部のサイズが予め定められている、請求項１記載の映像ミキサー。
【請求項６】
第２のマトリクス部のサイズは、ユーザが選択可能である、請求項１記載の映像ミキサー。
【請求項７】
ビデオ信号スイッチング装置であって、
映像ミキサーへ、および映像ミキサーからの信号を選択する第１のマトリクス部と；
前記映像ミキサー以外の出力先に接続するための出力信号を選択する第２のマトリクス部と；を含むスイッチングマトリクスを有するビデオ信号スイッチング装置。
【請求項８】
前記第１のマトリクス部は前記映像ミキサーのスイッチングプロトコルに従ってコントロールされ、かつ前記第２のマトリクス部はルーティング・スイッチャのスイッチングプロトコルに従ってコントロールされる、請求項７記載のビデオ信号スイッチング装置。
【請求項９】
前記第２のマトリクス部のコントロールを容易にするために、前記ルーティング・スイッチャの前記スイッチングプロトコルを変換する変換器を有する、請求項８記載のビデオ信号スイッチング装置。
【請求項１０】
前記第２のマトリクス部のサイズが固定されている、請求項７記載のビデオ信号スイッチング装置。
【請求項１１】
前記第２のマトリクス部のサイズは、ユーザが選択可能である、請求項７記載のビデオ信号スイッチング装置。
【請求項１２】
ビデオミキサーをコントロールする方法であって、
映像ミキサー・マトリクス内で複数の信号ルーティング・パスを使用するステップと；
映像ミキサー・プロトコルに従って、前記信号ルーティング・パスの一部をコントロールするステップと、
ルーティング・スイッチャ・プロトコルに従って、前記映像ミキサーを越えて、ルーティング信号のための前記信号ルーティング・パスの他の一部のコントロールを委譲するステップと、
を有する方法。
【請求項１３】
前記委譲するステップは、
前記ルーティング・スイッチャ・プロトコルに従って、委譲されたコントロールに対して前記信号ルーティング・パスの前記他の一部を選択するステップ、
を有する請求項１２記載の方法。
【請求項１４】
前記委譲するステップは
前記ルーティング・スイッチャ・プロトコルに従って、前記信号ルーティング・パスの前記他の一部をコントロールするステップ、
を有する請求項１２記載の方法。
【請求項１５】
前記第２のマトリクス部のコントロールを容易にするために、前記ルーティング・スイッチャの前記スイッチングプロトコルを変換するステップ、
を有する請求項１２記載の方法。
【請求項１６】
映像ミキシング・コントロール・プロトコルに従って、ビデオ信号パスのマトリクスの第１の部分をコントロールするステップと；
ルーティング・スイッチャ・コントロール・プロトコルに従って、ビデオ信号パスの前記マトリクスの第２の部分をコントロールするステップと、
前記マトリクスの前記第２の部分のサイズを特定するステップと、
を有する方法。
【請求項１７】
前記マトリクスの前記第２の部分をコントロールするために、前記ルーティング・スイッチャ・コントロール・プロトコルを変換するステップ、
を有する請求項１６記載の方法。
【請求項１８】
前記サイズを特定するステップは、ユーザにより特定される、請求項１６記載の方法。
【請求項１９】
前記サイズを特定するステップは、少なくとも１つのクロスポイントである請求項１６記載の方法。
【請求項２０】
一つのクロスポイントをコントロールするために、前記マトリクスの前記第１および第２の部分をコントロールする前記ステップを調停するステップ、を有する請求項１６記載の方法。
【発明の詳細な説明】
【技術分野】
【０００１】
本発明は、イメージの切り替えおよび加工が可能な映像（ｖｉｓｉｏｎ）ミキシング装置を用いたテレビ・イメージ・プロダクションの分野に関する。より詳細には、この特徴の適用および利用に関する。
【背景技術】
【０００２】
テレビ番組を製作している設備の規模、設備および装置の複雑度は多様である。しかしながら、共通の要件は、設備サイズを問わず、基本的に設備を形成している全ての器材の間で相互接続ができることを提供することである。例えば、あまり大きくない設備において、画像信号のソースは、スイッチング設備を介してレコーディングされまたライブ伝送される。この種の信号のルーティングは、クロスポイントの配列またはマトリクスのスイッチングを有するルーティング・スイッチャとして公知の技術の適用によって提供することができる。テレビ設備ビデオファシリティの数が増加すれば、明らかに信号の入出力に関してルーティングのスイッチャのサイズも大きくなる。例えば、ネットワーク・テレビ局は、４００の入力を２００の出力に送ることができることを必要とする場合がある。さらにまた、この種のルーティング能力を求める要求は、コマーシャル挿入される等、テレビ番組がブロードキャストされる２４時間のいかなる間にも動的に変化する。加えて、例えば、スポーツ・プログラミングをブロードキャストする場合、ルーティング・マトリクス設備のスイッチング能力を上回る信号のルーティング能力が必要となるほどの多数のリモート・イベント位置からのコンテンツを取り扱うことが必要とされることがある。
【発明の概要】
【発明が解決しようとする課題】
【０００３】
テレビ設備ビデオファシリティの例示が図１に示されている。テレビ設備のさまざまな構成要素の間の信号相互接続は、設備ルーティング・スイッチャ１０によって提供される。ルーティング・スイッチャは、ソースから信号を受け入れ、かつ、送信先に選択された信号を提供する。例えば、ＴＶブロードキャストのオペレーションで、レコーダ／プレーヤまたはテレシネのような画像ソース５０からの信号は、伝送設備３０にルーター１０を経て接続される必要がある。伝送設備は、その後、ロゴを挿入したり、音声を挿入したり、ルーター１０を介してブロック２０の信号出力部に信号を出力したり、ケーブル、ファイバー、無線または衛星によって設備から信号が伝送されたりする。
【０００４】
図１のブロック２０の手段は、ＴＶ設備に対する信号のやりとりを行う信号インターフェースを提供する。信号はオーディオ信号（例えば圧縮または非圧縮のアナログまたはデジタル形式のダイアログ、音楽、および効果音その他）と圧縮または非圧縮の形式のアナログまたはディジタルビデオを含む信号であってもよい。加えて、信号インターフェースは、通信情報またはトークバックおよび必要に応じてコントロール情報を伝える。これらの各種信号は、ルーター１０を経てＴＶ設備の中および外における利用のために伝送される。
【０００５】
イメージ記録・再生ブロック５０は、例えばイメージレコーダ、イメージ・プレーヤ、フィルム複写機またはテレシネの器材を含むことができる。これらのさまざまな画像ソース、および提供元は、イメージ、および付随するオーディオを提供する。電子的に生成されたイメージまたはイメージ構成要素は、グラフィックブロック６０内で生成され、そしてルーター１０によってＴＶ設備の全体にわたって使用できるようにされる。
【０００６】
テレビ番組のプロダクションは、ニュースを編集スイート８０と連動して、ニュース・スタジオ７０およびプロダクション・スタジオ９９においてなされる。説明を繰り返せば、全てのこれらの設備は、入力信号を提供し、出力信号を受け入れ、かつブロック３０を経て次の伝送のため、またはブロック４０のポストプロダクション編集等のため、設備ルーティング・スイッチャ１０に依存している。
【課題を解決するための手段】
【０００７】
既に説明したように、設備ルーティングの能力は動的に変化し、かつルーティング・マトリクスによって提供される信号のルーティング能力を一時的に上回ってしまうことがある。発明の実施例において、映像ミキサーの内の不使用のまたは不必要な信号スイッチング能力の設備は、設備ルーティング・スイッチャを補充するために利用することができる。更なる発明の実施例において、使っていない映像ミキサースイッチングクロスポイントのコントロールは、映像ミキサーを利用する製作設備機能以外に提供することもできる。更なる発明の実施例において、使っていない不必要なクロスポイントは、複数のコントロール・プロトコルの１つによって、選択的にコントロールすることができる。
【図面の簡単な説明】
【０００８】
【図１】例示的なテレビ製作設備を示す図である。
【図２Ａ】発明の実施例を含む映像ミキサーの簡略ブロック図である。
【図２Ｂ】発明の実施例を含む映像ミキサーの簡略ブロック図である。
【図２Ｃ】発明の実施例を含む映像ミキサーの簡略ブロック図である。
【図３】図２Ａ、図２Ｂ、図２Ｃの発明の実施例を含む設備ルーティング・スイッチャの簡略ブロック図である。
【図４】本発明の実施例を含むテレビ設備の簡略ブロック図である。
【発明を実施するための形態】
【０００９】
図１のプロダクション・スタジオ９９は、スタジオ９９のスタジオ内に位置するテレビカメラ、および映像ミキサーのユーザインタフェース・コントロールパネルを含む操作用コントロール室を有する。例示的な映像ミキサー１００（別名プロダクション・スイッチャ）を図２Ａに示す。図２に示す映像ミキサーは、クロスポイントのビデオスイッチングマトリクス１０１、および２つのビデオ処理ユニット、加えて周知のミックス効果ユニットＭＥ１（ＭＥ２）を含んでいる。スイッチングマトリクス１０１は、複数の交差している線によって表される。行は、入力信号線を示し、垂直線は信号経路のマトリクス出力回路を示している。各々の垂直線すなわち選択された出力信号経路は、ユーザによってアクティブにされた特定のクロスポイント位置（図示するように垂直および水平の線が交差する所）で、いかなる水平すなわち入力信号回線にも接続することができる。いかなる時間でも、１つのマトリクス接点すなわちクロスポイントの出力行（例えば１０４−１）だけがアクティブとなることができる。
【００１０】
マトリクス１０１はビデオスイッチとしてとらえることができる。なお、「ビデオ」という用語はさまざまなビデオ信号を含んでもよい。例えば、ビデオ信号はアナログまたはデジタル形式であってもよい。そして、デジタル形式である場合には、線形的に符合化されたものでもよく、圧縮形式であってもよい。さらに、この種のビデオスイッチングマトリクスは、デジタル形式のオーディオ信号（例えばダイアログ、音楽、および効果その他）を伝送することができる。ビデオスイッチングマトリクスは、しばしば、アナログ音響、および／または、通信情報、トークバック、およびコントロール情報を伝達する他のスイッチングマトリクスに接続されてもよい。これらの他のマトリクスは、マトリクス１０１によってオペレータにより選択することができる。図１のプロダクション・スタジオ９９は、スタジオ９９のスタジオ内に位置し、関連するテレビカメラを含む。これらのカメラからの信号（ｃ１、ｃ２等）は、図２Ａの簡略的に例示した映像ミキサー１００の主入力信号となる。映像ミキサー１００は、プロダクション・スタジオ９９の一部である。図２Ａ１において、カメラ信号ｃ１は、映像ミキサースイッチングマトリクス１０１の例示的な入力３０１として供給される。入力３０１に関連づけられた境界線上の（×によって示される）特定のクロスポイントは、ユーザ選択に応答して付勢される。この選択によって、カメラ信号ｃ１は、マトリクス出力に接続されているビデオ処理ユニットＭＥ１の入力１に供給される。通常、ビデオ処理ユニットは、ミックス効果プロセッサ（Ｍ／Ｅ）であるが、ディジタルビデオ効果（ＤＶＥ）またはデジタル画像操作機（ＤＰＭ）、ビデオ記憶器、静止画記憶器であってもよい。一部の映像ミキサーまたはプロダクション・スイッチャにおいて、主出力は、処理ユニットから直接に取り出される。なお、より大きな操作上の有用性としては、処理ユニットから出る出力がスイッチングマトリクスへの入力すなわちリエントリとなって提供され、この例示的なマトリクスの出力１０４において主出力として取り出されることである。図２Ａにおいて、ビデオ処理ユニットＭＥ１からの出力は、マトリクスに再び入力される。そして特定のクロスポイントにおいて、ユーザの操作によって線の×で示されるところで付勢されている。このクロスポイント選択によって、マトリクス出力１０４−２で、主出力信号として提供される。
【００１１】
上述の映像ミキサー・マトリクスの主入力において、第２のテレビカメラ信号ｃ２は、スイッチングマトリクス１０１の入力３０２に供給される。入力３０２の線において、×によって示される特定のクロスポイントは、ユーザの操作によって付勢される。このユーザ選択（カットと呼ばれる）によって、信号ｃ２は、マトリクスの主出力信号として出力１０４−１となる。
【００１２】
多くの例示的なマトリクス出力（すなわち、１０２、１０３、１０４、および１０５）が、図２Ａに示されている。上述したように、映像ミキサー１００から出力される主出力は、マトリクス出力１０４から提供される。マトリクス出力１０５は、出力信号ＭＥ１、およびＭＥマトリクス１０１のリエントリとして提供される。そして、出力１０２、および１０３は、一般に、補助出力すなわちＡｕｘバス出力と呼ばれる。この種の補助出力は、スタジオ・プロダクション内で使用される。例えば、生の入力（clean  feeds）の提供、ブーンとなるマイクの音（boom  microphone  shadow）を避けるため、エンジニア用のモニタ、ステージまたは観客用の映像の提供として使用される。
【００１３】
映像ミキサー内のスイッチングマトリクスのサイズは、必要な入力の数、ミックス／効果プロセッサの数、関連する画像処理、およびリエントリとして必要な数の要求によって最初に決定される。このような、最初の要求によるマトリクスのサイズを制作することは可能であるが、製造の経済性を考慮して、ミキサーに搭載されるミックス／効果プロセッサの数に関わらず、標準のサイズのマトリクスがしばしば利用される。通常は、映像ミキサーは、大きなスイッチングマトリクスを有する。例えば、１４４入力、１４４出力（１４４×１４４）のマトリクスである。しかしながら、補助出力のユーザおよび使用は多数であるにも関わらず、利用できるマトリクスの出力は、映像ミキサーのバスの主出力および補助出力のプロダクション要求を上回っている。
【００１４】
明らかに、スイッチングマトリクス容量のためのプロダクションの要件はプロダクションの性質によって異なっている。例えば、スポーツ番組は、通常はコメンテータのインタビュー番組よりも非常に多くの入力ソースの選択能力を必要とする。しかしながら、過剰なスイッチングマトリクス容量が、映像ミキサーの中に存在することになる。本発明の実施例においては、この過剰な設備は、プロダクション・スタジオでの利用以外の、設備あるいはモバイルのプロダクショントラック信号のルーティングシステムを増強するために利用される。
【００１５】
第１の発明の実施例においては、後述するように、マトリクス１０１を使用しておらず過剰なスイッチング能力が選択され、図２Ａの出力１０２において利用できる。このルーティングされた出力機能は、専用の、有線の、質的に恒久的な用途、または、ユーザによって選択可能で変更可能であってもよい。ルーティングされた出力信号は、補助出力と同じ用途を提供し、ルーティングされた出力は、主入力や再入力されるＭ／Ｅ（ミックス／効果）の出力信号となり得る。補助バス出力と比較して、ルーティングされた出力の有利な点は、コントロールの場所である。補助バス出力に対するコントロールの場所はスイッチャ・コントロールパネルである。これは、専用の補助バス・コントロールパネルまたはソフトウェアアプリケーションである。そして、これらの全てはスタジオの範囲または製作環境の中、および映像ミキサーコントロールシステムのコントロール下にある。ルーティングされた出力に対してのコントロールは、例えば、設備ルーティング・スイッチャコントロールシステムに委ねられている。これらは、関連づけられたコントロールパネル、およびグラフィック・ユーザ・インターフェイス（ＧＵＩ）であり、いずれもスタジオ・プロダクション範囲に関連づけられておらず、スタジオ位置から遠く離れていてもよい。
【００１６】
これらの有利なルーティングされた映像ミキサー出力は、完全に設備ルーティングシステムのコントロール下であり、そして、設備ビデオ信号ルーティングシステムの拡張となる。２５６×２５６または５１２×５１２のマトリクスを有する設備ルーターを備えるシステムにおいて、例示的な映像ミキサーは、３２の出力がルーティングされるよう割り当てられた１４４×１４４クロスポイントのマトリクスを有する。したがって、これは、設備ルーティングコントロールシステムのコントロール中で１４４×３２の付加的なマトリクスを有するものととらえることができる。それゆえに、設備ルーティング・スイッチャは１４４の入力ソースの名前および３２の出力先のそれぞれの名を変更しなければならない。この発明の実施例は、映像ミキサー１００の使っていない不必要な性能を利用することによって、ごくわずかなコストで、設備のルーティング容量の１４４×３２の飛躍的な増加を提供することができる。
【００１７】
マトリクス１０１の過剰なスイッチング能力は、予備であり使っていないマトリクス出力１０２であるだけでなく、使っていないマトリクス入力の設備であるということも認識するべきである。ルーティングされ、委譲された（delegated）各々の出力は、主入力、またはミキサー１００のスイッチングマトリクス１０１への再入力となる。したがってマトリクス１０１のある部分の入力（３０１−３０７）は、設備ルーティング・スイッチャ１０の入力として接続される。これによって、ルーティングされた出力１０２は、通常は関連づけられていないが、スタジオ・プロダクションによって必要とされる設備ルーターで利用できる多くの信号にアクセスすることが許されることとなる。この設備ルーティング・スイッチャ入力信号を映像ミキサー・マトリクスに接続することは、マニュアル的にまたは一時的に提供される。これは、タイ・ラインとして知られている接続である（これは、図３の入力３０５、３０６、３０７の接続として示されている）。
【００１８】
映像ミキサースイッチングマトリクスのこの有利な委譲を行うためには、マトリクスコントロールシステム（またはそれの部分）が設備ルーティング・スイッチャコントロールシステムのコントロールに応答することが必要である。通常は、製造元のルーティングまたはプロダクションスイッチャシステムをコントロールすることを、ネイティブマトリクスコントロールという。これに対して、他のベンダーが設計・製作したスイッチングシステムは、エイリアンマトリクスと呼ばれている。ネイティブ・マトリクスは、専用のコマンド言語またはプロトコルを持っているのに対して、エイリアンのマトリクスはオープンコントロール・プロトコルによってコントロールされる。
【実施例】
【００１９】
図２Ｂは、斜線で陰影をつけた領域１０１ａ、および１０１ｂが重なっているマトリクス１０１を有する図２Ａの映像ミキサー１００の一部分を示すブロック図である。これらの陰影をつけた領域は、それらのそれぞれのクロスポイントスイッチングコントロールプロトコルと共に、マトリクス１０１の部分を示している。マトリクス部１０１ａは、映像ミキサー１００のコントロール・プロトコル（ＶＭ＿ＣＴＲＬ）によってコントロールされる。コントロール・プロトコル（ＶＭ＿ＣＴＲＬ）はブロック２００で示す映像ミキサーコントロールロジックによって生成される例示的な映像ミキサー１００のセットアップ、およびエンジニアリングコントロールは、２１０で示すように表示スクリーンのコントロールパネルのグラフィカルユーザーインタフェース（ＧＵＩ）および／またはキーボードによってなされる。このＧＵＩ表示のコントロールパネルは、ユーザによるマトリクス１０１の別個のコントロールあるいは、エイリアン設備ルーティング・スイッチャ・プロトコルによるコントロールを容易にする。マトリクス部１０１ｂは、例示的なエイリアンのルーティング・スイッチャのコントロール・プロトコル（ＲＳ＿ＣＴＲＬ）によってコントロールされることを示している。図２Ｂは、簡略化された形式で、映像ミキサー・クロスポイント、および関連した出力の部分のコントロールを委譲するためのスイッチ（ＳＷ２０５）を示す。なお、スイッチＳＷ２０５は、多くの別の電子部品を使用して、および／または、全ての映像ミキサーコントロールロジックブロック２００の部分を形成しているソフトウェアを使用してインプリメントすることができる。マトリクス出力のルーター・コントロールを委譲することに加えて、コントロールパネル２１０は、ルーターによりコントロールされているマトリクス部の特定のクロスポイントに対して、委譲コントロールを抑止できることを許可する。これによって、ルーティング・スイッチャによって、マトリクス１０１に存在する特定の信号にアクセスされるのを防止する。例えば、スタジオ出力信号は、アクセスされるのを防止されてもよく、かつスタジオ範囲外の出力先に接続されてもよい。要約すると、コントロールパネル２１０は、特定のマトリクス出力を供給しているクロスポイントのコントロールを委譲することができ、加えて、コントロールの委譲を抑止し、このことにより映像ミキサーによってコントロールを維持するために、出力を供給している特定のクロスポイントのマッピングができるようにする。更なる有利な実施例において、選択的なクロスポイント・コントロール・マッピングによって、映像ミキサーおよびルーティング・スイッチャからのコントロールに応答する信号を、マトリクス出力が受信するのを可能とする。したがって、異なるコントロール・プロトコルによって別々のあるいは分割されたクロスポイント・コントロールを提供することに加えて、選択的なクロスポイント・コントロール・マッピングは、デュアルコントロールを容易にすることができる。すなわち、各々のコントロールソース、例えばミキサーおよびルーティング・スイッチャは、特定のマトリクス出力のための信号を選択することが可能である。
【００２０】
図２Ｃのブロック図は、より詳細に例示的なマトリクス出力１０２を示しており、かつマトリクス１０１の更なる発明の態様を含んでいる。図２Ｂに示されているように、斜線で陰影が示されている領域１０１ａおよび１０１ｂが重なっているマトリクス１０１は、クロスポイント・コントロールを表しており。このクロスポイント・コントロールは、映像ミキサー１００およびルーティング・スイッチャ１０の間で委譲される。これによって、マトリクス出力へと接続されるソースは、ミキサー１００またはスイッチャ１０だけによってコントロールされる。図２Ｃは、マトリクスに出力を与えるクロスポイント（例えば１０２−２）がコントロールを個々に委譲することができることを示す。図２Ｃにおいて、ミキサー１００のコントロールだけによるものは、黒い丸で示されており、スイッチャ１０による排他的コントロールは×によって表され、ミキサー１００およびスイッチャ１０による本発明のコントロールは黒い四角で示されている。例示的なクロスポイント３０３は、いかなるコントロールシステムによってもアクティブ化を防止するために抑止され、白いダイヤモンドによって表されている。
【００２１】
図２Ｂに戻ると、第１のスイッチの位置（ＳＷ２０５ａ）で、マトリクス部１０１ｂは映像ミキサー・プロトコル（ＶＭ＿ＣＴＲＬ）に応答する。そして、その結果として、映像ミキサー・マトリクスの全体は映像ミキサー１００によってコントロールされる。第２のスイッチの位置（２０５ｂ）において、マトリクス部１０１ｂは、ルーティング・スイッチャ（１０）からコントロール・プロトコル（ＲＳ＿ＣＴＲＬ）によってコントロールされる。ルーティング・スイッチャ・コントロール信号は、ブロック２０５を経て接続され、必要なスイッチングプロトコル・コード変換のいかなるものも提供する。例えば、トムソン・グラス・バレー・ルーティング・スイッチャ・プロトコルＳＭＳ７０００は、映像ミキサー・マトリクス部のコントロールを容易にするために、ブロック２１５内で変換を必要とする。これは物理的に異なる電子デバイスとしてインプリメントされてもよい。これは、ソフトウェアおよび/またはルックアップテーブルを使用して、あるいは、映像ミキサー１００のコントロールシステム２００の中で行われてもよい。
【００２２】
図２Ｂのマトリクス域１０１ｂは、４つの例示的な出力１０２を供給する４本のマトリクス列として描かれる。しかしながら、上述したように、委譲されるマトリクス部のサイズは、固定されているか、またはユーザにより決定されてもよく、したがって、調節可能である。それゆえに、クロスポイントの列の数およびそれぞれの出力は図２Ｂよりも多い場合も少ない場合もある。さらにまた、以下のスイッチングプロトコル・コード変換コントローラ２００が、図２Ｃに示すように、完全なマトリクス出力だけでなく、出力に接続される個々のクロスポイントに対して、クロスポイント・コントロール・マッピングを容易にすることができることはいうまでもない。加えて、コントローラ２００は、調停し、個々のクロスポイントのデュアルコントロールを可能とする。しかしながら、出力ソース選択が第２のユーザによって中断されるのを防止するために、特定の操作上の制約が適用されてもよい。この種の保護は、出力ソースの変更が本来望まれていない第２のコントロール位置に対して助言する警告スクリーンによって提供することができる。この種の保護は、また、一旦クロスポイントがいかなるコントロール位置から選ばれたものであっても、選択位置によって許可される場合を除き、選択解除を防ぐことが必要である。要約すると、有利なデュアルコントロールによっていかなるコントロール位置もソース・クロスポイントを選ぶことができる。しかし、一旦位置が選択された場合、選択を選んだ場所だけがこれを変えることを許可される。
【００２３】
図３には、本発明のクロスポイント委譲を有し、設備ルーティング・スイッチャ１０に接続される映像ミキサー１００を示す例示的なブロック図が示されている。図３を分かりやすくするために、ルーティング・スイッチャ１０は１６×１６マトリクスとして表されている。なお、しばしば、上述のようにこの種のルーティング・スイッチャは、２５６×２５６または５１２×５１２クロスポイントのマトリクスを有する。図の分かりやすさのために、映像ミキサー・マトリクス１０１は、７つの入力ライン（３０１−３０７）だけを示す。これらの入力は、入力３０１、３０２において２台の例示的なスタジオ・カメラからの信号を有する。これらのカメラ信号は、ルーティング・スイッチャ１０を経てスタジオ・マトリクスに供給されることができるが、図示するように、しばしば直接ミキサー・マトリクスに接続される。更に２つの例示的な入力（３０３−３０４）には、イメージ記録、およびまたは、リプレイ器材からの信号が、設備ルーティング・スイッチャ１０を経てミキサースイッチングマトリクス１０１に接続される。残りの三つの例示的な入力３０５、３０６、３０７は、タイ・ライン入力と呼ばれ、これらは、ミキサースイッチングマトリクスに入力信号を提供する。なお、これらは、スタジオ・プロダクションにおいて通常は必要とされない。これらのタイ・ライン入力信号によって、委譲されたクロスポイントが実質的に、実際のルーティング・スイッチャ・クロスポイントと同じ利用性を提供することが可能となる。
【００２４】
本発明のミキサー・マトリクスコントロールの委譲は、通常プロダクション・スタジオ関連づけられていない入力信号の選択および出力を容易にするばかりでなく、映像ミキサー処理装置を利用する能力を提供することもできる。例えば、イメージ変換装置は、ＳＤ画像信号入力から高解像度ＨＤ信号またはその逆のための条件を容易化するために、アップコンバージョンまたはダウンコンバージョンを提供することができる。加えて、例えばこの種のミキサー処理装置は、イメージ・アスペクト比変換または色補正を提供することができる。有用なミキサー処理装置の実例として、図３の高解像度ＨＤ信号変換ブロックＵＰ３１０が示されている。これは、出力１０２−４に適切に処理された出力信号を提供する。
【００２５】
図４は、上述したさまざまな発明の実施例を含むテレビ設備の簡略ブロック図を示す。マトリクス部４１ｂ、および１０１ｂのそれぞれの映像ミキサーから委譲がなされ得る設備ルーティング・スイッチャ１０が示されている。製作の後工程（ポストプロダクション）の例示的な設備４０は、映像ミキサー４１を有する。映像ミキサー４１は、スタジオ９９のミキサー１００に関して上述したように、マトリクス４１ｂのコントロールの委譲ができるようにする。図４において、ミキサー４１、および１００、およびそれぞれの委譲されたマトリクス部４１ｂおよび１０１ｂが別々の要素として示されているが、これらの要素の構造の共通性はそれぞれの要素を囲む破線によって示される。図４は、マトリクスミキサー４１ｂの委譲されたマトリクス部分がスイッチングプロトコル・スイッチＳＷ４５によってコントロールされることを示している。ＳＷ４５は、位置ｂにあり、これは、４１ｂの委譲された部分が、ルーティング・スイッチャ１０によってコントロールされていることを示している。同様に、破線によって示されるミキサー１０１ｂの委譲された部分は、スイッチングプロトコル・スイッチＳＷ２０５によってコントロールされている。ＳＷ２０５はａの位置にあることを示し、マトリクス部１０１ｂは、映像ミキサー１００によってコントロールを維持していることを示している。この有利な映像ミキサー・クロスポイント委譲は、ルーティング・スイッチャ容量を増やすために、コストの大幅な増加を抑えて、使用していないスイッチング容量を含む映像ミキサー・マトリクスにも適用することができることは、明らかである。
【図１】
2010531620.tif 000003
【図２Ａ】
2010531620.tif 000004
【図２Ｂ】
2010531620.tif 000005
【図２Ｃ】
2010531620.tif 000006
【図３】
2010531620.tif 000007
【図４】
2010531620.tif 000008
【国際調査報告】
2010531620.tif 000009
2010531620.tif 000010
2010531620.tif 000011